(57)【要約】【課題】電池の交換を不要とし、電池廃棄による環境汚染の問題が無く、電池の残量確認のためのテスト回路を必要とせず、また、小型化が可能で分電盤内の有効スペースを減少させずに取り付けることができる停電用保安灯を提供する。【解決手段】停電用保安灯１は交流−直流変換回路２の出力端間にＰＮＰ型トランジスタＴＲ１と定電流回路３と発光ダイオードＬＥＤ１を直列に接続し、また、２個の電気２重層コンデンサＣ３，Ｃ４を直列に接続している。通電中はＰＮＰ型トランジスタＴＲ１がターンオフするので発光ダイオードＬＥＤ１は点灯せず、電気２重層コンデンサＣ３，Ｃ４は充電される。停電するとＰＮＰ型トランジスタＴＲ１がターンオンして電気２重層コンデンサＣ３，Ｃ４からの放電電流により発光ダイオードＬＥＤ１が点灯する。【選択図】        図１
2004303612.tif 000002
【特許請求の範囲】
【請求項１】
停電時にランプが点灯して分電盤の周囲を照らす停電用保安灯において、前記ランプの電源を電気２重層コンデンサで構成したことを特徴とする停電用保安灯。
【請求項２】
前記ランプに流れる電流を一定に保つための定電流回路を備えたことを特徴とする請求項１に記載の停電用保安灯。
【請求項３】
前記電気２重層コンデンサを直列に複数接続したことを特徴とする請求項１又は請求項２に記載の停電用保安灯。
【発明の詳細な説明】
【０００１】
【発明の属する技術分野】
本発明は、停電時にランプが自動的に点灯して分電盤の周囲を照らす停電用保安灯に関する。
【０００２】
【従来の技術】
従来、商用電源の事故や、分電盤の主幹ブレーカやリミッタの動作によって停電が夜間に発生した場合、ランプによって分電盤の周囲を照らして暗闇の中でも点検や復旧作業が容易にできるように分電盤に停電用保安灯を備えたものがある。この停電用保安灯はランプや二次電池等の構成部品を別体に形成して分電盤内に別々に配設したり、分岐ブレーカ群の右側の機器取り付け用スペースに取り付けたり、分岐ブレーカと同一サイズに形成したケースによって分岐ブレーカの１つと置き換えて取り付けたりし、ランプの電源は一次電池又は二次電池を使用していた（例えば、特許文献１〜３参照。）。
【０００３】
【特許文献１】
特開平５−２０７６１７号公報（第２頁、第１図）
【特許文献２】
特開平１１−２８９６１４号公報（第３頁、第２図）
【特許文献３】
特開２００２−３４３５８４号公報（第３−４頁、第１図）
【０００４】
【発明が解決しようとする課題】
そのため、従来の停電用保安灯は長期間使用すると電池を交換しなければならないし、電池の残量を確認するためにランプが点灯するかどうかをテストするテスト回路が必要であるし、電池を廃棄する必要があるため、環境保護の点から好ましくなかった。また、停電用保安灯の構成部品を別体に形成して分電盤内の別々の場所に配設する場合は、各部品間の電線の接続が煩雑になったり、ブレーカへの配線の邪魔になるし、停電用保安灯を機器取り付け用スペースに配設する場合は機器取り付け用スペースを確保するために分電盤が大型化するし、停電用保安灯を分岐ブレーカの取り付けスペースに設置する場合は分岐ブレーカの取り付けスペースが減少し、而も上下の分岐ブレーカの数がアンバランスになるという欠点があった。
【０００５】
そこで上記問題点に鑑み、本発明の目的は、電池の交換を不要とし、電池廃棄による環境汚染の問題が無く、電池の残量確認のためのテスト回路を必要とせず、また、小型化が可能で分電盤内の有効スペースを減少させずに取り付けることができる停電用保安灯を提供することである。
【０００６】
【課題を解決するための手段】
上記目的を達成するために、請求項１に記載の発明によれば、停電時にランプが点灯して分電盤の周囲を照らす停電用保安灯において、ランプの電源を電気２重層コンデンサで構成したことを特徴とする。
【０００７】
請求項２に記載の発明によれば、請求項１に記載の停電用保安灯において、ランプに流れる電流を一定に保つための定電流回路を備えたことを特徴とする。
【０００８】
請求項３に記載の発明によれば、請求項１又は請求項２に記載の停電用保安灯において、電気２重層コンデンサを直列に複数接続したことを特徴とする。
【０００９】
【発明の実施の形態】
請求項１に記載の発明によれば、停電時にランプが点灯して分電盤の周囲を照らす停電用保安灯において、ランプの電源を電気２重層コンデンサで構成したことにより、電池の交換を不要とし、電池廃棄による環境汚染の問題が無く、電池の残量確認のためのテスト回路を必要としない。また、小型化が可能で分電盤内の有効スペースを減少させずに取り付けることができる。
【００１０】
請求項２に記載の発明によれば、請求項１に記載の停電用保安灯において、ランプに流れる電流を一定に保つための定電流回路を備えたことにより、ランプの破損を防止し、輝度を一定にすることができる。
【００１１】
請求項３に記載の発明によれば、請求項１又は請求項２に記載の停電用保安灯において、電気２重層コンデンサを直列に複数接続したことにより、充電電圧を高くし、白色発光ダイオードを使用しても長時間に亘って十分な輝度を得ることができる。
【００１２】
【実施例】
本発明に係る停電用保安灯の実施例を図１〜図４の添付図面に基づいて説明する。
【００１３】
まず、停電用保安灯１の回路について説明する。停電用保安灯１は、図１に示すように２つの端子部Ｐ１，Ｐ２間に雷サージから回路を保護するためのサージ吸収素子ＺＮＲ１が接続され、また、端子部の一方Ｐ１に電圧降下用の並列接続したコンデンサＣ１と抵抗Ｒ１が接続され、他方Ｐ２にヒューズ抵抗ＦＲ１が接続され、これらの間に全波整流回路ＤＢ１が接続されている。全波整流回路ＤＢ１の出力端間にはツェナーダイオードＺＤ１と平滑コンデンサＣ２とが接続されて交流−直流変換回路２を構成し、交流−直流変換回路２の出力の正極線ａには抵抗Ｒ２とダイオードＤ１が直列接続され、ダイオードＤ１のカソードにＰＮＰ型トランジスタＴＲ１のエミッタが接続されている。ＰＮＰ型トランジスタＴＲ１のベースは抵抗Ｒ３を介して一端を負極線ｂに接続した抵抗Ｒ４の他端とダイオードＤ１のアノードとの接続点に接続され、コレクタは定電流回路３の電界効果トランジスタＦＥＴ１のドレインに接続されている。定電流回路３は電界効果トランジスタＦＥＴ１のソースに制限抵抗Ｒ５の一端を接続し、制限抵抗Ｒ５の他端をゲートに接続して構成している。定電流回路３の制限抵抗Ｒ５の他端は発光ダイオードＬＥＤ１のアノードに接続され、カソードは負極線ｂに接続されている。発光ダイオードＬＥＤ１には輝度の高い白色発光ダイオードを用いると良い。また、正極線ａと負極線ｂとの間に内部抵抗の小さい２個の電気２重層コンデンサＣ３，Ｃ４が直列接続され、夫々の電気２重層コンデンサＣ３，Ｃ４と並列にコンデンサ保護用のツェナーダイオードＺＤ２，ＺＤ３が接続され、２個の電気２重層コンデンサＣ３，Ｃ４にかかる電圧がほぼ等しくなるようにして過電圧による破損を防止している。
【００１４】
次に停電用保安灯１の動作について説明する。停電用保安灯１が通電している時、端子部Ｐ１，Ｐ２から入力された交流電圧は並列接続したコンデンサＣ１と抵抗Ｒ１とで降圧され、全波整流回路ＤＢ１とツェナーダイオードＺＤ１と平滑コンデンサＣ２とで構成される交流−直流変換回路２によって交流電圧から直流電圧に変換される。ＰＮＰ型トランジスタＴＲ１はベースに電圧が印加されるのでターンオフの状態にあり、発光ダイオードＬＥＤ１は消灯している。また、電気２重層コンデンサＣ３，Ｃ４は充電されている。
【００１５】
そして、商用電源の事故や、分電盤の主幹ブレーカやリミッタの動作によって停電用保安灯１への通電が停止すると、ＰＮＰ型トランジスタＴＲ１のベース電圧が低下してターンオンする。これにより、電気２重層コンデンサＣ３，Ｃ４に蓄積された電荷がＰＮＰ型トランジスタＴＲ１と定電流回路３を介して発光ダイオードＬＥＤ１に通電し、点灯する。発光ダイオードＬＥＤ１が点灯している間は暗闇の中でも分電盤の位置がすぐに分かり、点検や復帰作業を行うことができる。尚、定電流回路３は電気２重層コンデンサＣ３，Ｃ４から急激に放電されて起こる過電流による破壊から発光ダイオードＬＥＤ１を保護すると共に、長時間にわたって発光ダイオードＬＥＤ１を一定の輝度で点灯させる役割を果たしている。
【００１６】
復電すると、ＰＮＰ型トランジスタＴＲ１のベース電圧が再び上昇してターンオフし、発光ダイオードＬＥＤ１が消灯すると共に電気２重層コンデンサＣ３，Ｃ４が充電される。
【００１７】
こうして構成された回路はプリント基板に実装されて図２に示すように樹脂製のケース４に収納され、住宅用分電盤５等に設けられる。住宅用分電盤５は図３に示すように主幹ブレーカ６から右方向に延びるように配設された主幹バー７を挟むように上下両側に複数の分岐ブレーカ８が並設され、主幹ブレーカ６の負荷側端子６ａと主幹バー７の一端とを接続バー９によって接続して成っている。停電用保安灯１は図２に示すように接続バー１０を被覆する樹脂カバー１０の前面に設置され、主幹ブレーカ６の負荷側端子６ａに停電用保安灯１の端子部Ｐ１，Ｐ２に接続した電線１１を接続して用いられる。停電用保安灯１のケース４の前面には発光ダイオードＬＥＤ１が設けられ、図４に示すように住宅用分電盤５の前面カバー１２から発光ダイオードＬＥＤ１が露出するように配設される。
【００１８】
このため、停電用保安灯１の発光ダイオードＬＥＤ１は停電時にブレーカやリミッタのハンドル付近を照らすので点検や復帰作業がしやすくなっている。また、分電盤内の配線の邪魔にならない。
【００１９】
尚、本実施例において電気２重層コンデンサを２個使用したが、これに限定はなく、１個でも良いし、３個以上でも良い。このとき、２個以上の電気２重層コンデンサを使用する場合は電気２重層コンデンサに対してツェナーダイオードが並列となるように接続する。
【００２０】
【発明の効果】
以上説明したように請求項１に記載の発明によれば、停電時にランプが点灯して分電盤の周囲を照らす停電用保安灯において、ランプの電源を電気２重層コンデンサで構成したことにより、電池を使用していないので交換の手間が無いし、電池廃棄による環境汚染の問題が無く、電池の残量確認のためのテスト回路を必要としない。また、小型化が可能なので分電盤に配設する場合に接続バーと分電盤の前面カバーとの間に取り付けることができ、ブレーカへの配線等の邪魔にならず、分電盤内の有効スペースを減少させないという効果がある。
【００２１】
請求項２に記載の発明によれば、請求項１に記載の停電用保安灯において、ランプに流れる電流を一定に保つための定電流回路を備えたことにより、過電圧によるランプの破損を防止し、輝度を一定にすることができるという効果がある。
【００２２】
請求項３に記載の発明によれば、請求項１又は請求項２に記載の停電用保安灯において、電気２重層コンデンサを直列に複数接続したことにより、充電電流を高くし、白色発光ダイオードを使用しても長時間に亘って十分な輝度を得ることができるという効果がある。
【図面の簡単な説明】
【図１】本発明に係る停電用保安灯の回路図である。
【図２】本発明に係る停電用保安灯を分電盤に設置し、前面カバーを取り外した状態を示す正面図である。
【図３】本発明に係る分電盤の前面カバーを取り外し、接続バーと主幹バーの絶縁カバーを取り外した状態を示す正面図である。
【図４】本発明に係る停電用保安灯を分電盤に設置した状態を示す正面図である。
【符号の説明】
１…停電用保安灯
３…定電流回路
ＴＲ１…ＰＮＰ型トランジスタ
ＦＥＴ１…電界効果トランジスタ
ＬＥＤ１…発光ダイオード
Ｃ３，Ｃ４…電気２重層コンデンサ
【図１】
2004303612.tif 000003
【図２】
2004303612.tif 000004
【図３】
2004303612.tif 000005
【図４】
2004303612.tif 000006